(57)【要約】【課題】通信装置による通信内容をデータとして端末装置側で保存・管理する際の使い勝手を改善させること。【解決手段】複合機（ＲＡＭの共有領域）に画像データが記録された後、このデータは自動的にＰＣ側に記録される（ｓ３２０）。そのため、複合機によりファクシミリ通信による画像データが記録された後、このデータをＰＣ側で記録させるために利用者がＰＣを操作する必要はない。また、複合機側では、画像データが受信された際、共有領域の空き容量が充分でなければ、画像データを単一ページずつ共有領域に記録させる。この単一ページ分の画像データは、共有領域に記録される毎にＰＣ側で順次記録された後に削除されるため（ｓ３５０，ｓ３６０）、共有領域の空き容量が充分でないときは、複合機側により受信される画像データを画像データより小さい記録領域を利用してＰＣ側に記録させることができる。【選択図】図５
2004304323.tif 000002
【特許請求の範囲】
【請求項１】
通信装置と端末装置とがデータ通信可能に接続されてなる通信システムであって、
前記通信装置は、
ネットワークを介してデータ通信を行う通信手段と、
各種データを記録可能であり、前記端末装置が該端末装置に接続された外部記録装置として認識可能な通信側記録手段と、
前記通信手段により通信データが送信または受信された際、所定の記録条件を満たしていれば、該通信データを前記通信側記録手段に記録させる一方、前記記録条件を満たしていなければ、前記通信データをそれぞれ所定のデータ量からなる複数の分割データとし、該分割データそれぞれを順次前記通信側記録手段に記録させる通信側記録指令手段と、を備えており、
前記端末装置は、
各種データを記録する端末側記録手段と、
前記通信装置の備える通信側記録手段に前記通信データまたは前記分割データが記録された際に、該データを前記端末側記録手段に記録させる端末側記録指令手段と、
該端末側記録指令手段による指令で前記通信データまたは前記分割データが前記端末側記録手段に記録された際に、前記通信装置の備える通信側記録手段から前記通信データまたは前記分割データを削除させる端末側削除指令手段と、を備えている
ことを特徴とする通信システム。
【請求項２】
前記通信装置において、
前記通信側記録指令手段は、前記複数の分割データそれぞれを順次前記通信側記録手段に記録させると共に、該複数の分割データそれぞれが前記通信データを分割したデータである旨を特定可能な特定データを前記通信側記録手段に記録させて、
前記端末装置においては、
前記通信装置の備える通信側記録手段に前記特定データが記録された際に、前記特定データに基づいて、前記端末側記録手段に記録された前記分割データそれぞれを合成することにより通信データを生成するデータ合成手段が、備えられている
ことを特徴とする請求項１に記載の通信システム。
【請求項３】
前記端末装置において、
前記端末側記録指令手段は、前記通信装置の備える通信側記録手段に前記特定データが記録された際に、該特定データを前記端末側記録手段に記録させて、
前記端末側削除指令手段は、前記端末側記録指令手段による指令で前記特定データが前記端末側記録手段に記録された際に、前記通信装置の備える通信側記録手段から前記特定データを削除させて、
前記データ合成手段は、前記端末側記録手段に記録された前記特定データに基づいて前記分割データそれぞれを合成する
ことを特徴とする請求項２に記載の通信システム。
【請求項４】
前記通信装置において、
前記通信手段は、通信データを前記分割データ毎に送信または受信するように構成され、
前記通信側記録指令手段は、前記通信手段により通信データが送信または受信される際、前記記録条件を満たしていれば、前記通信手段により送信または受信された前記分割データそれぞれからなる通信データを前記通信側記録手段に記録させる一方、前記記録条件を満たしていなければ、前記通信手段により前記分割データが送信または受信される毎に、該分割データを前記通信側記録手段に記録させる
ことを特徴とする請求項１から３のいずれかに記載の通信システム。
【請求項５】
前記通信装置においては、
前記通信手段により通信データが送信または受信された際、前記記録条件を満たしていない場合に、該通信データを前記分割データそれぞれに分割するデータ分割手段が備えられており、
前記通信側記録指令手段は、前記データ分割手段により通信データが分割されていなければ、該通信データを前記通信側記録手段に記録させる一方、前記データ分割手段により通信データが前記分割データに分割されていれば、該分割データそれぞれを順次前記通信側記録手段に記録させる
ことを特徴とする請求項１から３のいずれかに記載の通信システム。
【請求項６】
前記通信装置において、
前記記録条件は、前記通信側記録手段において通信データを記録するための記録領域の残りを示す残り領域が所定のしきい値以上である場合に満たされる
ことを特徴とする請求項１から５のいずれかに記載の通信システム。
【請求項７】
前記通信装置において、
前記記録条件は、前記通信手段により送信または受信される通信データに関するパラメータが特定のパラメータである場合に満たされる
ことを特徴とする請求項１から５のいずれかに記載の通信システム。
【請求項８】
前記通信装置において、
前記通信手段は、画像データを通信データとしてデータ通信するように構成され、
前記記録条件は、前記通信データに関するパラメータとして、前記画像データで示される画像の色数が、所定数以上である場合に満たされる
ことを特徴とする請求項７に記載の通信システム。
【請求項９】
前記通信装置において、
前記記録条件は、前記通信データに関するパラメータとして、該通信データで示される画像の解像度が、所定のしきい値以上である場合に満たされる
ことを特徴とする請求項７に記載の通信システム。
【請求項１０】
前記通信装置においては、
利用者の操作を受けて、当該通信装置の動作モードを、前記通信手段により通信データが送信または受信された際に該通信データそのものを前記通信側記録手段に記録する通常モード、および、前記通信手段により通信データが送信または受信された際に前記分割データを前記通信側記録手段に記録する分割モードのいずれかに切り替え可能なモード切替手段が備えられており、
前記記録条件は、前記モード切替手段により当該通信装置の動作モードが前記通常モードに切り替えられている場合に満たされる
ことを特徴とする請求項１から５のいずれかに記載の通信システム。
【請求項１１】
請求項１から１０のいずれかに記載の通信装置。
【請求項１２】
請求項１から１０のいずれかに記載の端末装置。
【請求項１３】
請求項１から１０のいずれかに記載の通信手段および通信側記録指令手段として機能させるための各種処理手順をコンピュータシステムに実行させるためのプログラム。
【請求項１４】
請求項１から１０のいずれかに記載の端末側記録指令手段および端末側削除指令手段として機能させるための各種処理手順をコンピュータシステムに実行させるためのプログラム。
【発明の詳細な説明】
【０００１】
【発明の属する技術分野】
本発明は、データを送受信する通信システム、この通信システムを構成する通信装置と端末装置、および、これらにおいて利用可能なプログラムに関する。
【０００２】
【従来の技術】
従来から、例えば、ファクシミリとしての機能を有する通信装置では、通信データの通信内容（例えば、送信先、送信元、通信日時、通信時間、ページ数など）をメモリ内に蓄積（記録）しておき、所定の操作が行われたタイミングで蓄積された通信内容を用紙へ印刷するように構成されたものが一般的である。これにより、利用者は、通信内容を用紙にて確認することができる。
【０００３】
また、近年では、通信装置による通信内容を、この通信装置とデータ通信可能に接続された端末装置側から確認するための技術が提案されている。
例えば、端末装置（パーソナルコンピュータＰＣ）が端末装置自身に接続された外部記録装置として認識可能な記録部（ＲＡＭ１２）を備え、この記録部に通信内容を示すデータ（ファクシミリ送受信データ）を記録することによって、端末装置側からの通信内容の確認を自由に行わせることのできる通信装置（データ入出力装置）である（特許文献１参照）。このような通信装置であれば、通信装置による通信内容を示すデータを端末装置側へ移す（記録させる）ことが容易であり、端末装置側で通信装置による通信内容をデータとして保存・管理できるようになるため好適である。
【０００４】
【特許文献１】
特開２００１−２８２６９４号公報
【０００５】
【発明が解決しようとする課題】
しかし、上述の通信装置では、単に、通信内容を示すデータを端末装置側からアクセス可能な状態で記録するだけであることから、利用者は、通信装置の記録部に記録されたデータを端末装置側に保存するといった面倒な作業を意図的に行わなければならない。
【０００６】
このようなことから、上述の通信装置は、端末装置側で通信内容をデータとして保存・管理するための使い勝手がよいとはいえなかった。
本発明は、上記課題を解決するためになされたものであり、その目的は、通信装置による通信内容をデータとして端末装置側で保存・管理する際の使い勝手を改善させるための技術を提供することである。
【０００７】
【課題を解決するための手段および発明の効果】
上記課題を解決するため請求項１に記載の通信システムは、通信装置と端末装置とがデータ通信可能に接続されてなる通信システムである。この通信システムの通信装置は、通信手段，通信側記録手段および通信側記録指令手段を備えている。これらのうち、通信手段は、ネットワークを介してデータ通信を行う手段である。また、通信側記録手段は、各種データを記録可能であり、端末装置が端末装置自身に接続された外部記録装置として認識可能な手段である。そして、通信側記録指令手段は、通信手段により通信データが送信または受信された際、所定の記録条件を満たしていれば、この通信データを通信側記録手段に記録させる一方、記録条件を満たしていなければ、通信データをそれぞれ所定のデータ量からなる複数の分割データとし、この分割データそれぞれを順次通信側記録手段に記録させる。
【０００８】
また、端末装置は、端末側記録手段，  端末側記録指令手段および端末側削除指令手段を備えている。これらのうち、端末側記録手段は、各種データを記録する手段である。また、端末側記録指令手段は、通信装置の備える通信側記録手段に通信データまたは分割データが記録された際に、このデータを端末側記録手段に記録させる。そして、端末側削除指令手段は、端末側記録指令手段による指令で通信データまたは分割データが端末側記録手段に記録された際に、通信装置の備える通信側記録手段から通信データまたは分割データを削除させる。
【０００９】
このように構成された通信システムによれば、通信装置側（通信側記録手段）に通信データが記録された後、この通信データを自動的に端末装置側（端末側記録手段）へ記録させることができる。そのため、通信装置により通信が行われ、この通信された通信データが通信装置側に記録された以降、この通信データを端末装置側で記録させるために利用者が意図的に端末装置を操作する必要はない。よって、このような操作が必要な従来のものと比べて、通信装置により通信される通信データを端末装置側で保存・管理する際の使い勝手がよい。
【００１０】
また、通信装置側に記録されたデータは、このデータが端末装置側に記録された後で削除されるため、通信装置側（通信側記録手段）に不必要となったデータを占有させてしまう恐れがなく、通信装置側の記録領域を有効に利用することができる。
【００１１】
さらに、通信装置側では、通信データが送信または受信された際に、記録条件を満たしていなければ、通信データを分割してなる複数の分割データが通信側記録手段に順次記録される。この分割データは、通信側記録手段に記録される毎に、順次端末装置側で記録された後に削除される。そのため、記録条件を満たしていない状態においては、通信装置側により通信される通信データを、通信データそのものより小さい記録領域を利用して端末装置側に記録させる（移す）ことができる。
【００１２】
なお、上述した通信装置の備える通信手段は、ネットワークを介してデータ通信を行う手段であって、例えば、電話回線網やインターネットを介して画像データを通信（ファクシミリ通信）する構成や、インターネットを介して各種データを通信する構成などが考えられる。
【００１３】
また、通信側記録手段は、端末装置が該端末装置に接続された外部記録装置、つまり、ＯＳ（ｏｐｅｒａｔｉｎｇ  ｓｙｓｔｅｍ）に標準で備えられた機能（ファイルシステム）を介してアクセス（データの記録および削除）できる記録領域として認識できる手段である。
【００１４】
ところで、この構成において、端末装置側に複数の分割データが記録された場合、端末装置側において各分割データから通信データを復元する必要がある。このように分割データから通信データを復元するための構成としては、例えば、通信装置側において通信側記録指令手段による通信データの分割規則（または復元規則）を決めておき、端末装置側において端末側記録指令手段が、分割データを端末側記録手段に順次記録させた後、これら分割データから上述の分割規則に基づいて通信データを復元する、といった構成が考えられる。このように構成すれば、あらかじめ分割規則を決めておくだけで、端末装置側において各分割データから通信データを復元することができる。
【００１５】
また、分割データから通信データを復元するための別の構成としては、請求項２に記載のような構成を考えることができる。
請求項２に記載の通信システムは、通信装置において、通信側記録指令手段が、複数の分割データそれぞれを順次前記通信側記録手段に記録させると共に、これら分割データそれぞれが通信データを分割したデータである旨を特定可能な特定データを通信側記録手段に記録させる。また、端末装置が、通信装置の備える通信側記録手段に特定データが記録された際に、特定データに基づいて、端末側記録手段に記録された分割データそれぞれを合成することにより通信データを生成するデータ合成手段を備えている。
【００１６】
このように構成された通信システムによれば、通信装置側において、通信データを分割してなる分割データと共に特定データを記録させることにより、端末装置側では、この特定データに基づいて各分割データを合成して通信データを生成（復元）することができる。そのため、あらかじめ通信データを分割する分割規則を決めておかなくても、端末装置側において各分割データから通信データを復元することができる。
【００１７】
なお、この構成における「特定データ」は、分割データそれぞれが通信データを分割したデータである旨を特定可能なデータであり、具体的には、例えば、分割データをどのように分割したか（または復元できるか）を示す手順や、分割データそれぞれのファイル名などを特定可能なデータである。
【００１８】
また、この構成においては、データ合成手段により通信データが生成された以降、通信装置の備える通信側記録手段に記録されている特定データは不要なデータとなるため削除することが望ましい。このための構成としては、例えば、端末装置において、端末側削除指令手段が、データ合成手段により通信データが生成された際に、通信装置の備える通信側記録手段に記録されている特定データを削除する、といった構成が考えられる。このように構成すれば、通信側記録手段に不必要となった特定データを占有させてしまう恐れがなく、通信側記録手段の記録領域を有効に利用することができる。
【００１９】
また、別の構成として、請求項３に記載のように、端末装置において、端末側記録指令手段が、通信装置の備える通信側記録手段に特定データが記録された際に、この特定データを端末側記録手段に記録させて、端末側削除指令手段が、端末側記録指令手段による指令で特定データが端末側記録手段に記録された際に、通信装置の備える通信側記録手段から特定データを削除させて、データ合成手段は、端末側記録手段に記録された特定データに基づいて分割データそれぞれを合成する、といった構成を考えることもできる。
【００２０】
このように構成された通信システムによれば、同様に、通信側記録手段に不必要となった特定データを占有させてしまう恐れがなく、通信側記録手段の記録領域を有効に利用することができる。
なお、上述の通信側記録指令手段は、記録条件を満たしていない場合に通信データを分割データとして通信側記録手段に記録させるが、このとき、通信手段により送信または受信される通信データが複数の単位データ（例えば、単一ページなど）から構成されたものであれば、この単位データそれぞれを分割データとして通信側記録手段に順次記録させるように構成すればよい。
【００２１】
具体的には、請求項４に記載のように、通信装置において、通信手段は、通信データを分割データ毎に送信または受信するように構成され、通信側記録指令手段は、通信手段により通信データが送信または受信される際、記録条件を満たしていれば、通信手段により送信または受信された分割データそれぞれからなる通信データを通信側記録手段に記録させる一方、記録条件を満たしていなければ、通信手段により分割データが送信または受信される毎に、この分割データを通信側記録手段に記録させる、といった構成が考えられる。
【００２２】
このように構成された通信システムによれば、通信端末は、通信手段により送信または受信される通信データが複数の単位データから構成されたものである場合、この単位データそれぞれを分割データとして通信側記録手段に記録させることができる。
【００２３】
なお、上述の通信側記録指令手段は、通信データを一定のデータ量毎に分割して分割データを生成し、この分割データを通信側記録手段に順次記録させるように構成してもよい。
具体的には、請求項５に記載のように、通信装置においては、通信手段により通信データが送信または受信された際、記録条件を満たしていない場合に、この通信データを分割データそれぞれに分割するデータ分割手段が備えられており、通信側記録指令手段が、データ分割手段により通信データが分割されていなければ、この通信データを通信側記録手段に記録させる一方、データ分割手段により通信データが分割データに分割されていれば、この分割データそれぞれを順次通信側記録手段に記録させる、といった構成が考えられる。
【００２４】
このように構成された通信システムによれば、通信手段により送信または受信される通信データを複数の分割データに分割して通信側記録手段に記録させることができる。
なお、上述した「記録条件」としては種々の条件が考えられるが、例えば、請求項６に記載のように、通信側記録手段において通信データを記録するための記録領域の残りを示す残り領域が所定のしきい値以上である場合に満たされる条件を考えることができる。
【００２５】
このように構成された通信システムによれば、通信装置側において、通信側記録手段の残り領域が所定のしきい値より小さい場合に、通信データを分割データとして通信側記録手段に順次記録させることができる。そのため、上述の「しきい値」として、通信データを記録するのに充分と想定される記録領域を設定しておけば、通信側記録手段の残り領域が通信データを記録するのに充分な記録領域より少ない場合には、通信データを分割して順次記録させることができるため、少ない残り領域を有効に利用しながら通信データを端末装置側に記録させることができる。
【００２６】
また、上述した「記録条件」としては、請求項７に記載のように、通信手段により送信または受信される通信データに関するパラメータが特定のパラメータである場合に満たされる条件を考えることもできる。
このように構成された通信システムによれば、通信装置側において、通信データに関するパラメータが特定のパラメータである場合に、通信データを分割データとして通信側記録手段に順次記録させることができる。そのため、上述の「特定のパラメータ」として、例えば、データ量が通信側記録手段の記録領域を大部分占有してしまう、または、通信側記録手段の記録領域よりも大きくなると想定される通信データのパラメータを設定しておけば、通信データのデータ量が通信側記録手段の記録領域を大部分占有する、または、通信側記録手段の記録領域より大きくなる場合には、通信データを分割して順次記録させることができるため、少ない残り領域を有効に利用しながら通信データを端末装置側に記録させることができる。
【００２７】
この構成における「パラメータ」の具体的な例としては、例えば、通信装置が画像データを通信データとして通信する場合において、請求項８に記載のように、画像データで示される画像の色数が考えられる。この場合、色数が所定数以上である場合に「記録条件」が満たされる。
【００２８】
このように構成された通信システムによれば、通信装置側において、画像データで示される画像の色数が所定数以上である場合に、通信データを分割データとして通信側記録手段に順次記録させることができる。そのため、上述の「所定数」として、例えば、データ量が通信側記録手段の記録領域を大部分占有してしまう、または、通信側記録手段の記録領域よりも大きくなると想定される画像データの色数を設定しておけば、通信データのデータ量が通信側記録手段の記録領域を大部分占有する、または、通信側記録手段の記録領域より大きくなる場合には、通信データを分割して順次記録させることができるため、少ない残り領域を有効に利用しながら通信データを端末装置側に記録させることができる。
【００２９】
また、上述した「パラメータ」の具体的な例としては、例えば、通信装置が画像データを通信データとして通信する場合において、請求項９に記載のように、画像データで示される画像の解像度が考えられる。この場合、解像度が所定のしきい値以上である場合に「記録条件」が満たされる。
【００３０】
このように構成された通信システムによれば、通信装置側において、画像データで示される画像の解像度が所定のしきい値以上である場合に、通信データを分割データとして通信側記録手段に順次記録させることができる。そのため、上述の「しきい値」として、例えば、データ量が通信側記録手段の記録領域を大部分占有してしまう、または、通信側記録手段の記録領域よりも大きくなると想定される画像データの解像度を設定しておけば、通信データのデータ量が通信側記録手段の記録領域を大部分占有する、または、通信側記録手段の記録領域より大きくなる場合には、通信データを分割して順次記録させることができるため、少ない残り領域を有効に利用しながら通信データを端末装置側に記録させることができる。
【００３１】
また、上述した「記録条件」としては、請求項１０に記載のように、通信装置が、利用者の操作を受けて、通信装置自身の動作モードを、通信手段により通信データが送信または受信された際に通信データそのものを通信側記録手段に記録する通常モード、および、通信手段により通信データが送信または受信された際に分割データを通信側記録手段に記録する分割モードのいずれかに切り替え可能なモード切替手段が備えられている場合には、モード切替手段により通信装置自身の動作モードが通常モードに切り替えられている場合に満たされる条件を考えることもできる。
【００３２】
このように構成された通信システムによれば、通信装置側において、通信装置自身の動作モードが分割モードに切り替えられている場合に、通信データを分割データとして通信側記録手段に順次記録させることができる。この通信装置の動作モードは、利用者の操作を受けたモード切替手段により切り替えられるため、通信データそのものを記録させるか、通信データを分割データとして記録させるかを、利用者が任意に変更できる。
【００３３】
また、請求項１１に記載の通信装置は、請求項１から１０のいずれかに記載の通信装置である。このように構成された通信端末によれば、請求項１から１０のいずれかに記載の通信システムの一部を構成することができる。
また、請求項１２に記載の端末装置は、請求項１から請求項１０のいずれかに記載の端末装置である。このように構成された端末装置によれば、請求項１から１０のいずれかに記載の通信システムの一部を構成することができる。
【００３４】
また、請求項１３に記載のプログラムは、請求項１から１０のいずれかに記載の通信手段および通信側記録指令手段として機能させるための各種処理手順をコンピュータシステムに実行させるためのプログラムである。このプログラムにより制御されるコンピュータシステムは、請求項１から１０のいずれかに記載の通信システムの一部（通信装置）を構成することができる。
【００３５】
また、このプログラムは、請求項５に記載のデータ分割手段として機能させるための各種処理手順をもコンピュータシステムに実行させるためのプログラムとしてもよい。この場合、コンピュータシステムが請求項５以降に記載の通信システムの一部（通信装置）を構成することができる。
【００３６】
また、これらのプログラムは、請求項１０に記載のモード切替手段として機能させるための各種処理手順をもコンピュータシステムに実行させるためのプログラムとしてもよい。この場合、コンピュータシステムが請求項１０に記載の通信システムの一部（通信装置）を構成することができる。
【００３７】
また、請求項１４に記載のプログラムは、請求項１から１０のいずれかに記載の端末側記録指令手段および端末側削除指令手段として機能させるための各種処理手順をコンピュータシステムに実行させるためのプログラムである。このプログラムにより制御されるコンピュータシステムは、請求項１から１０のいずれかに記載の通信システムの一部（端末装置）を構成することができる。
【００３８】
また、このプログラムは、請求項２から１０のいずれかに記載のデータ合成手段として機能させるための各種処理手順をもコンピュータシステムに実行させるためのプログラムとしてもよい。この場合、コンピュータシステムが請求項２以降に記載の通信システムの一部（端末装置）を構成することができる。
【００３９】
なお、上述した各プログラムは、それぞれコンピュータシステムによる処理に適した命令の順番付けられた列からなるものであって、例えば、ＦＤ，ＣＤ−ＲＯＭ，メモリカードなどの記録媒体，インターネットなどの通信回線網を介して、通信システム，通信装置，端末装置，コンピュータシステム，または、これらを利用する利用者に提供されるものである。また、このプログラムを実行するコンピュータシステムとしては、例えば、通信装置の備えるコンピュータシステム，端末装置の備えるコンピュータシステム，通信装置や端末装置に無線または有線の通信路を介してデータ通信可能に接続されたコンピュータシステムなどを利用することができる。
【００４０】
【発明の実施の形態】
次に本発明の実施の形態について例を挙げて説明する。
［第１実施形態］
通信システム１は、図１に示すように、複合機１００およびパーソナルコンピュータ（以降、ＰＣとする）２００が、通信ケーブル３００を介してデータ通信可能に接続されてなるものである。
【００４１】
複合機１００は、電話端末，ファクシミリ，コピー機およびスキャナなどとして機能する装置であって、ハンドセット１１２、表示パネル１１４、操作パネル１２０、ＣＰＵ１３２、ＲＯＭ１３４、ＲＡＭ１４０、スキャナ部１５２、モデム１５４、プリンタ部１５６、音声入出力部１６０、ＰＣインターフェース部（以降、ＰＣＩ／Ｆとする）１７２、回線制御部１７４、メディアドライブ１８０などを備えている。
【００４２】
これらのうち、ハンドセット１１２は、図２に示すように、本体側部に配設されたものであり、複合機１００本体から取り外して使用する送受話器である。
また、表示パネル１１４は、複合機１００本体上部に配設されたものであり、ＣＰＵ１３２からの指令を受けて各種情報を表示する。
【００４３】
また、操作パネル１２０は、複合機１００本体上面に配設されたものであり、文字，数字および記号を入力可能な複数の入力ボタン１２１、音声入出力部１６０によりハンズフリー通話を行うためのスピーカーホンボタン１２２、各種機能の実行を開始するためのスタートボタン１２３の他、機能確定ボタン１２４および方向ボタン１２５（上ボタン１２５ａ，下ボタン１２５ｂ，右ボタン１２５ｃ，左ボタン１２５ｄ）などからなる。
【００４４】
また、ＣＰＵ１３２は、ＲＯＭ１３４に記録されたプログラムで示される処理手順に従い複合機１００の各構成要素にバス１９０を介して指令（制御信号）を送ることによって、複合機１００全体の動作を制御する。
また、ＲＡＭ１４０は、記録領域の一部が、複合機１００と接続されたＰＣ２００がＰＣ２００自身に接続された外部記録装置（仮想ドライブ）として認識できる共有領域となっている。これにより、ＰＣ２００は、この共有領域をＯＳ（ｏｐｅｒａｔｉｎｇ  ｓｙｓｔｅｍ）に標準で備えられた一部機能であるファイルシステムによりアクセス（データの記録および削除）可能な記録領域として認識できる。なお、この共有領域は、ツリー型のフォルダ（「ディレクトリ」ともいう）構造を有しており、フォルダにて、データファイルを分類し記憶するように構成されている。
【００４５】
また、スキャナ部１５２は、後述するＦＡＸ受信処理（図３）でＣＰＵ１３２からの指令を受けて、読取位置１１６（図２参照）にセットされた用紙から画像の読み取り行うと共に、この画像の画像データを生成する。この画像データは、モデム１５４で符号化および変調されることにより電話回線網４００に伝送可能な画像信号とされた後、回線制御部１７４を介して電話回線網４００へ出力される。
【００４６】
また、プリンタ部１５６は、後述するＦＡＸ受信処理（図３）でＣＰＵ１３２からの指令を受けて、給紙位置１１８（図２参照）にセットされた用紙への画像データに基づく画像の印刷を行う。このように画像の印刷を行う対象となる画像データは、例えば、電話回線網４００から回線制御部１７４を介して入力された画像信号がモデム１５４で復調および復号されることにより生成される画像データなどである。
【００４７】
また、音声入出力部１６０は、スピーカ１６２、マイク１６４、および、これらを駆動する駆動回路１６６で構成され、スピーカ１６２から各種音声信号に基づく音声を出力する以外に、スピーカ１６２およびマイク１６４を送受話器として機能させることにより、ハンズフリー通話を行うために使用することもできる。なお、この音声入出力部１６０のマイク１６４は、操作パネル１２０のうち穴１２８が形成されている位置の裏面に配設され（図２参照）、この穴１２８を介して音声が入力される。
【００４８】
また、ＰＣＩ／Ｆ１７２は、複合機１００を通信ケーブル３００経由でＰＣ２００と接続するためのインターフェースであって、これによって、複合機１００−ＰＣ２００間におけるデータ通信を可能な状態とすることができる。
また、回線制御部１７４は、電話回線網４００からの各種信号の入力および電話回線網４００への信号の出力を行うと共に、ＣＰＵ１３２の指令を受けて、電話回線網４００との間で入出力する信号の伝送先および伝送元となる伝送経路を設定する。
【００４９】
この「電話回線網４００との間で入出力する信号の伝送先および伝送元となる伝送経路」は、オフフック操作として、ハンドセット１１２を複合機１００本体から取り外す操作、または、操作パネル１２０のスピーカーホンボタン１２２を押下する操作が行われた際に、回線制御部１７４からハンドセット１１２または音声入出力部１６０へ向かう経路が上述の伝送経路として設定され、この経路を音声信号が伝送可能な状態となる。こうして設定された伝送経路は、オンフック操作として、ハンドセット１１２を複合機１００本体に戻す操作、または、再度スピーカーホンボタン１２２を押下する操作が行われた際に解除され、この経路を音声信号が伝送されない状態となる。
【００５０】
さらに、読取位置１１６に読み取らせるべき用紙がセットされた状態で、操作パネル１２０の入力ボタン１２１により送信先の識別番号（本実施形態においては電話番号）が入力された後、スタートボタン１２３が押下するといった一連の操作（ＦＡＸ送信操作）が行われた際、または、電話回線網４００側から画像信号の入力が開始された際に、モデム１５４へ向かう経路が上述の伝送経路として設定され、この経路を画像信号が伝送可能な状態となる。この設定された伝送経路はモデム１５４による画像信号の出力が終了した際、または、電話回線網４００からの画像信号の入力が終了した際に解除され、この経路を画像信号が伝送されない状態となる（後述のＦＡＸ受信処理（図３）参照）。
【００５１】
そして、メディアドライブ１８０は、メモリカード５００を着脱可能であり、装着されたメモリカード５００へのデータの記録および読出しを行う装置である。なお、ここでいう「メモリカード」とは、例えば、コンパクトフラッシュ（登録商標）、スマートメディア（登録商標）、メモリスティック（登録商標）、マルチメディアカード、ＳＤメモリカードなどのことである。
【００５２】
ＰＣ２００は、ＣＰＵ２１２、ＲＯＭ２１４、ＲＡＭ２１６、ハードディスク（以降、ＨＤとする）２２０、外部インターフェース部（以降、外部Ｉ／Ｆとする）２３２、入力部２４０、ディスプレイ２５０などがバス２６０を介して接続されたものである。
【００５３】
これらのうち、ＨＤ２２０には、各種アプリケーションソフトの他、後述するデータ収集処理（図５）を実行するためのデータ収集プログラムなどが組み込まれている。
また、外部Ｉ／Ｆ２３２は、ＰＣ２００を通信ケーブル３００経由で複合機１００と接続するためのインターフェースであって、これによって、ＰＣ２００−複合機１００間におけるデータ通信を可能な状態とすることができる。
【００５４】
そして、入力部２４０は、キーボード２４２およびマウス２４４などからなる入力装置である。
○複合機１００のＣＰＵ１３２によるＦＡＸ受信処理
以下に、複合機１００の備えるＣＰＵ１３２により実行されるＦＡＸ受信処理の処理手順を図３に基づいて説明する。このＦＡＸ受信処理は、回線制御部１７４を介して電話回線網４００から画像信号の入力が開始された際に開始される。
【００５５】
まず、回線制御部１７４にモデム１５４と電話回線網４００とを結ぶ経路を信号の伝送経路として設定させる（ｓ１１０）。これにより、モデム１５４と電話回線網４００とを結ぶ経路を画像信号が伝送可能な状態となる。
次に、ＲＡＭ１４０における共有領域の空き容量が、ファックス通信により受信される画像データを記録するのに充分であるかどうかをチェックする（ｓ１２０）。この処理では、共有領域の空き容量が所定のしきい値（本実施形態においては、２５６ｋｂｙｔｅ）以上であれば、画像データを記録するのに充分であると判定する。
【００５６】
このｓ１２０の処理で、共有領域の空き容量が画像データを記録するのに充分である場合（ｓ１２０：ＹＥＳ）、ファクシミリ通信により単一ページ分の画像信号を受信する（ｓ１３０）。
次に、後続するページが存在するかどうかをチェックする（ｓ１４０）。この処理では、ｓ１３０の処理で単一ページ分の画像信号を受信した後、後続するページを示す画像信号の受信が開始された場合に、後続するページが存在すると判定する。
【００５７】
このｓ１４０の処理で、後続するページが存在する場合（ｓ１４０：ＹＥＳ）、ｓ１３０の処理へ戻る。
こうして、ｓ１３０およびｓ１４０の処理を繰り返した後、ｓ１４０の処理で後続するページが存在しなくなったら（ｓ１４０：ＮＯ）、ｓ１３０の処理で繰り返し受信された１または複数ページ分の画像信号で示される画像の画像データを、単一のデータファイルとしてＲＡＭ１４０の共有領域に記録させる（ｓ１５０）。この処理では、ｓ１３０の処理で繰り返し受信された１または複数ページ分の画像信号を、モデム１５４により復調および復号させることにより１または複数ページ分の画像データとした後、この画像データをＲＡＭ１４０の共有領域に記録させる。この画像データは、共有領域に記録された後、ＰＣ２００側において後述のデータ収集処理（図５）により読み出されて削除される。なお、このｓ１５０の処理において、画像データは、ｓ１３０の処理が行われた日時を連結した数字列を含むファイル名で記録される。例えば、通信の日付が「２００３．０３．２０」で、通信の時刻が「９：４５」である場合、ファイル名は「ｒｘ２００３０３２００９４５」となる。
【００５８】
そして、回線制御部１７４にモデム１５４と電話回線網４００とを結ぶ経路の伝送経路としての設定を解除させた後（ｓ１６０）、本ＦＡＸ受信処理を終了する。このｓ１６０の処理により、モデム１５４と電話回線網４００とを結ぶ経路を画像信号が伝送されない状態となる。
【００５９】
また、上述したｓ１２０の処理で、共有領域の空き容量が画像データを記録するのに充分でない場合（ｓ１２０：ＮＯ）、変数Ｎを初期化する（ｓ１７０）。この処理では、変数Ｎに「１」をセット（１→Ｎ）する。なお、以降に記載の「ｎ」とは、変数Ｎにセットされた値を示すものとする。
【００６０】
次に、ファクシミリ通信により単一ページ分の画像信号を受信する（ｓ１８０）。
次に、ｓ１７０の処理で受信された単一ページ分の画像信号で示される画像の画像データをＲＡＭ１４０の共有領域に記録させる（ｓ１９０）。この処理では、ｓ１８０の処理で繰り返し受信された単一ページ分の画像信号を、モデム１５４により復調および復号させることにより１ページ分の画像データとした後、この画像データをＲＡＭ１４０の共有領域に記録させる。この画像データは、共有領域に記録された後、ＰＣ２００側において後述するデータ収集処理（図５）により読み出されて削除される。なお、このｓ１９０の処理において、画像データは、ｓ１８０の処理が行われた日時を連結した数字列および変数Ｎの値（つまりページ番号）からなるファイル名で記録される。例えば、通信の日付が「２００３．０３．２０」，通信の時刻が「９：４５」，変数Ｎの値が「１」である場合、ファイル名は「ｒｘ２００３０３２００９４５ｐ００１」となる。
【００６１】
次に、後続するページが存在するかどうかをチェックする（ｓ２００）。この処理では、ｓ１８０の処理で単一ページ分の画像信号を受信した後、後続するページを示す画像信号の受信が開始された場合に、後続するページが存在すると判定する。
【００６２】
このｓ２００の処理で、後続するページが存在する場合（ｓ２００：ＹＥＳ）、変数Ｎに「１」を加算（１＋ｎ→Ｎ）した後（ｓ２１０）、ｓ１８０の処理へ戻る。
こうして、ｓ１８０からｓ２１０の処理を繰り返した後、ｓ２００の処理で後続するページが存在しなくなったら（ｓ２００：ＮＯ）、ｓ１９０の処理で共有領域に記録された１または複数ページ分の画像データが一回のファクシミリ通信により受信されたデータである旨を示す特定データを生成し、ＲＡＭ１４０の供給領域に記録する（ｓ２２０）。この処理では、図４に示すように、ｓ１９０の処理で記録された各画像データのファイル名、および、これら画像データを合成することにより生成すべき画像データのファイル名（以降、合成ファイル名とする）を特定可能なテキストデータを特定データとして生成した後、ＲＡＭ１４０の共有領域に記録する。この特定データは、共有領域に記録された後、ＰＣ２００側において後述するデータ収集処理（図５）で読み出されて削除される。なお、本実施形態において、合成ファイル名は、ｓ１９０の処理で記録された各画像データのうちページ番号が最も大きいファイル名からページ番号を削除してなる名称である（図４における「ｔｏ）  ｒｘ２００３０３２００９４７」参照）。
【００６３】
こうして、ｓ２２０の処理を終えた後、ｓ１６０の処理で伝送経路としての設定を解除させた後、本ＦＡＸ受信処理を終了する。
なお、上述のｓ１３０からｓ１４０の処理が行われている間、および、ｓ１８０からｓ２１０の処理が行われている間は、回線制御部１７４を介して電話回線網４００（送信元）から順次入力される単一ページ分の画像信号を、モデム１５４により復調および復号させることにより１ページ分の画像データとした後、プリンタ部１５６により順次印刷させる、といった通常のファクシミリ通信に関わる処理も行うが、本発明を理解するうえで重要ではないため省略する。
○ＰＣ２００のＣＰＵ２１２によるデータ収集処理
以下に、ＰＣ２００の備えるＣＰＵ２１２により実行されるデータ収集処理の処理手順を図５に基づいて説明する。このデータ収集処理は、データ収集プログラムが起動されてから終了されるまでの間、繰り返し実行される。
【００６４】
まず、複合機１００の備えるＲＡＭ１４０の共有領域に、画像データが記録されたかどうかをチェックする（ｓ３１０）。画像データは、複合機１００側において図３におけるｓ１５０，ｓ１９０の処理により記録される。
このｓ３１０の処理で共有領域に画像データが記録された場合（ｓ３１０：ＹＥＳ）、この画像データを読み出してＨＤ２２０に記録させる（ｓ３２０）。この処理では、画像データを記録すべき記録場所としてあらかじめ定められたＨＤ２２０の記録領域に画像データを記録させる。
【００６５】
次に、ｓ３２０の処理でＨＤ２２０に記録された画像データと同一のデータを共有領域から削除する（ｓ３３０）。
こうして、ｓ３３０の処理を終えた後、または、ｓ３１０の処理で画像データが記録されていない場合（ｓ３１０：ＮＯ）、複合機１００の備えるＲＡＭ１４０の共有領域に、特定データが記録されたかどうかをチェックする（ｓ３４０）。特定データは、複合機１００側において図３におけるｓ２２０の処理により記録される。
【００６６】
このｓ３４０の処理で、共有領域に特定データが記録されていない場合（ｓ３４０：ＮＯ）、ｓ３１０の処理へ戻る。こうして、ｓ３１０からｓ３４０の処理を繰り返すことにより、複合機１００側において図３におけるｓ１８０からｓ２２０の処理で繰り返し共有領域に記録される画像データを順次読み出してＨＤ２２０へ記録した後、共有領域から削除することになる。
【００６７】
また、ｓ３４０の処理で、共有領域に特定データが記録された場合（ｓ３４０：ＹＥＳ）、この特定データを読み出してＨＤ２２０に記録させる（ｓ３５０）。この処理では、特定データを記録すべき記録場所としてあらかじめ定められたＨＤ２２０の記録領域に特定データを記録させる。
【００６８】
次に、ｓ３５０の処理でＨＤ２２０に記録された特定データと同一のデータを共有領域から削除する（ｓ３６０）。
次に、ｓ３５０の処理でＨＤ２２０に記録された特定データに基づいて、ｓ３２０の処理で記録された各画像データを合成して単一のデータファイルを生成する（ｓ３７０）。この処理では、特定データで特定される各画像ファイルをページ番号順に連結してなる画像データを、同特定データで特定される合成ファイル名のデータとして生成する。
【００６９】
次に、ｓ３５０の処理で記録された特定データをＨＤ２２０から削除する（ｓ３８０）。
そして、ｓ３２０の処理で記録された各画像データをＨＤ２２０から削除した後（ｓ３９０）、ｓ３１０の処理へ戻る。
【００７０】
［第１実施形態の効果］
このように構成された通信システム１によれば、複合機１００側（ＲＡＭ１４０の共有領域）に画像データまたは特定データが記録された後（図３におけるｓ１５０，ｓ１９０，ｓ２２０の処理）、このデータを自動的にＰＣ２００側（ＨＤ２２０）へ記録させることができる（図５におけるｓ３２０，ｓ３５０の処理）。そのため、複合機１００によりファクシミリ通信が行われ、この通信により受信された画像データまたは生成された特定データが複合機１００側に記録された後、これらデータをＰＣ２００側で記録させるために利用者が意図的にＰＣ２００を操作する必要はない。よって、このような操作が必要な従来のものと比べて、複合機１００により受信される画像データまたは生成される特定データをＰＣ２００側で保存・管理する際の使い勝手がよい。
【００７１】
また、複合機１００側（ＲＡＭ１４０の共有領域）に記録されたデータは、このデータがＰＣ２００側に記録された後で削除されるため（図５におけるｓ３３０，ｓ３６０の処理）、複合機１００側に不必要となったデータを占有させてしまう恐れがなく、複合機１００側の記録領域を有効に利用することができる。
【００７２】
さらに、複合機１００側では、画像データが受信された際に、共有領域の空き容量が充分でなければ、画像データを単一ページ分の画像データずつ共有領域に順次記録させる（図３におけるｓ１８０からｓ２１０の処理）。この単一ページ分の画像データは、共有領域に記録される毎に、ＰＣ２００側で順次記録された後に削除される。そのため、共有領域の空き容量が充分でない状態においては、複合機１００側により受信される画像データを、画像データそのものより小さい記録領域を利用してＰＣ２００側に記録させる（移す）ことができる。
【００７３】
また、複合機１００側において、単一ページ分の画像データと共に特定データを共有領域に記録させることにより（図３におけるｓ２２０の処理）、ＰＣ２００側では、この特定データに基づいて各画像データを単一のデータファイルとして合成した画像データを生成（復元）することができる（図５におけるｓ３７０の処理）。
【００７４】
また、複合機１００側において、ＲＡＭ１４０における共有領域の空き容量が所定のしきい値より小さい場合（図３におけるｓ１２０の処理）、画像データを単一ページ分の画像データずつ順次共有領域に記録させることができる（ｓ１９０の処理）。本実施形態において「しきい値」は、ファクシミリ通信により受信される画像データを記録するのに充分と想定される空き容量であるため、共有領域の空き容量が画像データを記録するのに充分な空き容量より少ない場合に、画像データを単一ページ毎に順次記録させることができるため、少ない空き容量を有効に利用しながら画像データをＰＣ２００側に記録させることができる。
【００７５】
［第２実施形態］
通信システム２は、第１実施形態における通信システム１と同様の構成であり、一部処理手順が異なるだけであるため、この相違点についてのみ詳述する。
○複合機１００のＣＰＵ１３２によるＦＡＸ受信処理
第２実施形態におけるＦＡＸ受信処理は、図３におけるｓ１２０の処理の代わりに以下に示すｓ１２２，ｓ１２４の処理を行うように構成されたものであり、これらの処理を図６に基づいて説明する。
【００７６】
まず、ｓ１１０の処理で伝送経路を設定させた後、ファクシミリ通信により受信される画像データがカラーの画像データであるかどうかをチェックする（ｓ１２２）。ファクシミリ通信では、通常、画像信号を受信するのに先立ち、画像信号で示される画像データがカラーであるかモノクロであるか、および、画像信号で示される画像データが通常の解像度の画像データであるか高解像度（通常よりも高い解像度）の画像データであるかを示す画像情報信号がやりとりされるため、このｓ１２２の処理では、この画像情報信号に基づきカラーであるかどうかをチェックする。
このｓ１２２の処理で、ファクシミリ通信により受信される画像データがカラーの画像データである場合（ｓ１２２：ＹＥＳ）、ｓ１７０の処理へ移行する。
【００７７】
一方、ｓ１２２の処理で、ファクシミリ通信により受信される画像データがモノクロの画像データである場合（ｓ１２２：ＮＯ）、ファクシミリ通信により受信される画像データが高解像度の画像データであるかどうかをチェックする（ｓ１２４）。この処理では、上述した画像情報信号に基づき通常の解像度であるか高解像度であるかをチェックする。
【００７８】
このｓ１２４の処理で、ファクシミリ通信により受信される画像データが高解像度の画像データである場合（ｓ１２４：ＹＥＳ）、ｓ１７０の処理へ移行する一方、通常の解像度の画像データである場合（ｓ１２４：ＮＯ）、ｓ１３０の処理へ移行する。
【００７９】
［第２実施形態の効果］
このように構成された通信システム２によれば、第１実施形態と異なる構成から得られる効果として、以下に示すような効果を得ることができる。
この通信システム２によれば、複合機１００側において、ファクシミリ通信により受信される画像データがカラーまたは高解像度の画像データである場合（図６におけるｓ１２２，ｓ１２４の処理）、画像データを単一ページ分の画像データずつ順次共有領域に記録させることができる（ｓ１８０からｓ２１０の処理）。通常、カラーまたは高解像度の画像データは、モノクロまたは通常の解像度の画像データよりもデータ量が多くなるため、この画像データをそのまま共有領域に記録させる場合、画像データが共有領域の記録領域（空き容量）を大部分占有したり、画像データが共有領域の記録領域（空き容量）よりも大きくなって正常に記録できなくなったりといったことが起こりやすい。そのため、カラーまたは高解像度の画像データの場合に、画像データを単一ページ分の画像データ毎に順次記録させることは、画像データが共有領域の記録領域を大部分占有してしまうことを防止し、また、画像データが共有領域の記録領域より大きくなることにより画像データが正常に記録されなくなることを防止するためには好適である。これにより、共有領域の空き容量を有効に利用しながら複合機１００に記録された画像データをＰＣ２００側へ記録させることができる。
【００８０】
［第３実施形態］
通信システム３は、第１実施形態における通信システム１と同様の構成であり、一部処理手順が異なるだけであるため、この相違点についてのみ詳述する。
○複合機１００のＣＰＵ１３２によるモード切替処理
以下に、複合機１００の備えるＣＰＵ１３２により実行されるモード切替処理の処理手順を図７に基づいて説明する。このモード切替処理は、操作パネル１２０の機能確定ボタン１２４が２回続けて押下されることにより開始される。
まず、動作モード切替メニューを表示パネル１１４に表示させる（ｓ４１０）。この処理では、複合機１００の動作モードを、後述するＦＡＸ受信処理（図８）で画像データをそのままＲＡＭ１４０の共有領域に記録させる「通常モード」、および、画像データを単一ページ毎の画像データとしてＲＡＭ１４０の共有領域に順次記録させる「分割モード」のいずれかに切り替える旨を利用者に促す動作モード切替メニューを表示させる。この動作モード切替メニューが表示パネル１１４に表示された後、利用者は、操作パネル１２０の方向ボタン１２５を操作することにより、通常モードおよび分割モードのいずれかを選択した後、機能確定ボタン１２４を押下するといった操作（モード決定操作）を行うことになる。
【００８１】
次に、モード決定操作が行われるまで待機する（ｓ４２０：ＮＯ）。
このｓ４２０の処理で、モード決定操作が行われたら（ｓ４２０：ＹＥＳ）、動作モードを切り替える（ｓ４３０）。この処理では、初期値として「０」がセットされ、動作モードを示す値をセットするための変数Ｍに、モード決定操作により決定された動作モードに対応する値をセットすることによって、動作モードを切り替える。具体的には、動作モードが「通常モード」に決定された場合には「０」をセットし（０→Ｍ）、「分割モード」に決定された場合には「１」をセットする（１→Ｍ）。なお、以降に記載の「ｍ」は変数Ｍにセットされた値を示すものとする。
【００８２】
そして、動作モード切替メニューの表示を表示パネル１１４から消去させた後（ｓ４４０）、本モード切替処理を終了する。
○複合機１００のＣＰＵ１３２によるＦＡＸ受信処理
第３実施形態におけるＦＡＸ受信処理は、図３におけるｓ１２０の処理の代わりに以下に示すｓ１２６の処理を行うように構成されたものであり、この処理を図８に基づいて説明する。
【００８３】
まず、ｓ１１０の処理で伝送経路を設定させた後、複合機１００自身の動作モードをチェックする（ｓ１２６）。
この処理では、図７のモード切替処理において切り替えられた動作モードが「通常モード」であるか「分割モード」であるかを、上述の変数Ｍにセットされた値に基づいて判定する（Ｍ＝０→「通常モード」、Ｍ＝１→「分割モード」）。
【００８４】
このｓ１２６の処理で、動作モードが「通常モード」である場合（ｓ１２６：ＹＥＳ）、ｓ１３０の処理へ移行する一方、「分割モード」である場合（ｓ１２６：ＮＯ）、ｓ１７０の処理へ移行する。
［第３実施形態の効果］
このように構成された通信システム３によれば、第１実施形態と異なる構成から得られる効果として、以下に示すような効果を得ることができる。
【００８５】
この通信システム３によれば、複合機１００側において、複合機１００自身の動作モードが分割モードに切り替えられている場合（図８におけるｓ１２６の処理）、画像データを単一ページ毎の画像データずつ順次共有領域に記録させることができる（ｓ１８０からｓ２１０の処理）。この複合機１００の動作モードは、図７のモード切替処理で利用者の操作を受けて切り替えられる。よって、画像データそのものを記録させるか、画像データを単一ページ毎の画像データとして記録させるかを、利用者が任意に変更できる。
【００８６】
［第４実施形態］
通信システム４は、第１実施形態における通信システム１と同様の構成である。
○複合機１００のＣＰＵ１３２によるＦＡＸ受信処理
以下に、複合機１００の備えるＣＰＵ１３２により実行されるＦＡＸ受信処理の処理手順を図９に基づいて説明する。このＦＡＸ受信処理は、回線制御部１７４を介して電話回線網４００から画像信号の入力が開始された際に開始される。
【００８７】
まず、回線制御部１７４にモデム１５４と電話回線網４００とを結ぶ経路を信号の伝送経路として設定させる（ｓ５１０）。
次に、ファクシミリ通信により単一ページ分の画像信号を受信する（ｓ５２０）。
【００８８】
次に、後続するページが存在するかどうかをチェックする（ｓ５３０）。この処理は、図３におけるｓ１４０の処理と同様の処理である。
このｓ５３０の処理で、後続するページが存在する場合（ｓ５３０：ＹＥＳ）、ｓ５２０の処理へ戻る。
【００８９】
こうして、ｓ５２０およびｓ５３０の処理を繰り返した後、ｓ５３０の処理で後続するページが存在しなくなったら（ｓ５３０：ＮＯ）、ＲＡＭ１４０における共有領域の空き容量が、ファックス通信により受信される画像データを記録するのに充分であるかどうかをチェックする（ｓ５４０）。この処理は、図３におけるｓ１２０の処理と同様の処理である。
【００９０】
このｓ５４０の処理で、共有領域の空き容量が画像データを記録するのに充分である場合（ｓ５４０：ＹＥＳ）、ｓ５２０の処理で繰り返し受信された１または複数ページ分の画像信号で示される画像の画像データを、単一のデータファイルとしてＲＡＭ１４０の共有領域に記録させる（ｓ５５０）。この処理は、図３におけるｓ１５０の処理と同様の処理である。
【００９１】
そして、回線制御部１７４にモデム１５４と電話回線網４００とを結ぶ経路の伝送経路としての設定を解除させた後（ｓ５６０）、本ＦＡＸ受信処理を終了する。
また、上述したｓ５４０の処理で、共有領域の空き容量が画像データを記録するのに充分でない場合（ｓ５４０：ＮＯ）、変数Ｎを初期化する（ｓ５７０）。この処理では、変数Ｎに「１」をセット（１→Ｎ）する。なお、以降に記載の「ｎ」とは、変数Ｎにセットされた値を示すものとする。
【００９２】
次に、ｓ５２０の処理で繰り返し受信された１または複数ページ分の画像信号で示される画像の画像データを、所定のデータ量（本実施形態においては、２５６ｋｂｙｔｅ）毎の分割データに分割する（ｓ５８０）。
この処理では、複数ページ分の画像信号で示される画像の画像データを単一のデータファイルとみなし、このデータを所定のデータ量毎に分割した第１から第ｉ番目の複数の分割データとする。
【００９３】
次に、ｓ５８０の処理で分割された第ｎ番目の分割データをＲＡＭ１４０の共有領域に記録させる（ｓ５９０）。この処理では、このｓ５９０の処理が行われた日時を連結した数字列および変数Ｎの値（つまり１からｉまでの順番）からなるファイル名で記録される。例えば、通信の日付が「２００３．０３．２０」，通信の時刻が「９：４５」，変数Ｎの値が「１」である場合、ファイル名は「ｒｘ２００３０３２００９４５ｔ００１」となる。なお、この分割データは、共有領域に記録された後、ＰＣ２００側において読み出されて削除される（図５におけるｓ３２０，ｓ３３０の処理）。
【００９４】
次に、第ｎ＋１番目の分割データが存在するかどうかをチェックする（ｓ６００）。この処理では、「ｎ＋１」の値が分割データの最終番号を示す値「ｉ」より大きい場合に（ｉ≦ｎ＋１）、第ｎ＋１番目の分割データが存在すると判定する。
【００９５】
このｓ６００の処理で、第ｎ＋１番目の分割データが存在する場合（ｓ６００：ＹＥＳ）、ｓ５９０の処理でＲＡＭ１４０の共有領域に記録された第ｎ番目の分割データが削除されるまで待機する（ｓ６１０：ＮＯ）。
このｓ６１０の処理で、第ｎ番目の分割データが削除されたら（ｓ６１０：ＹＥＳ）、変数Ｎに「１」を加算（１＋ｎ→Ｎ）した後（ｓ６２０）、ｓ５９０の処理へ戻る。
【００９６】
こうして、ｓ５９０からｓ６２０の処理を繰り返した後、ｓ６００の処理で第ｎ＋１番目の分割データが存在しない場合（ｓ６００：ＮＯ）、ｓ５９０の処理で共有領域に繰り返し記録された１以上分割データが一回のファクシミリ通信により受信された画像データを分割したデータである旨を特定可能な特定データを生成し、ＲＡＭ１４０の供給領域に記録する（ｓ６３０）。この処理では、ｓ５９０の処理で記録された各分割データのファイル名、各分割データを合成する処理手順、および、分割データを合成してなる画像データのファイル名（以降、合成ファイル名とする）を特定可能なテキストデータを特定データとして生成した後、ＲＡＭ１４０の共有領域に記録する。この特定データは、共有領域に記録された後、ＰＣ２００側において読み出されて削除される。また、合成ファイル名とは、ｓ５９０の処理で記録された各画像データのうちページ番号が最も大きいファイル名からページ番号を削除してなる名称である。また、各分割データを合成する処理手順は、分割データをどのように合成すると復元できるかを示す手順（例えば、周知の分割，結合アルゴリズムなど）である。
【００９７】
そして、ｓ６３０の処理を終えた後、ｓ５６０の処理で伝送経路としての設定を解除させた後、本ＦＡＸ受信処理を終了する。
なお、上述のｓ５２０からｓ５３０の処理が行われている間は、第１実施形態と同様、通常のファクシミリ通信に関わる処理も行うが、本発明を理解するうえで重要ではないため省略する。
○ＰＣ２００のＣＰＵ２１２によるデータ収集処理
第４実施形態におけるデータ収集処理は、図５におけるｓ３１０の処理により、複合機１００の備えるＲＡＭ１４０の共有領域に分割データ（図９におけるｓ５９０の処理にて記録）が記録された場合に、ｓ３２０の処理により、この分割データを読み出してＨＤ２２０に記録させた後、ｓ３３０の処理により、ｓ３２０の処理でＨＤ２２０に記録された分割データと同一のデータを共有領域から削除するように構成されたものである。
【００９８】
［第４実施形態の効果］
このように構成された通信システム４によれば、第１実施形態と異なる構成から得られる効果として、以下に示すような効果を得ることができる。
この通信システム４によれば、複合機１００側により受信される画像データを複数の分割データに分割してＲＡＭ１４０の共有領域に記録させることができる（図９におけるｓ５８０の処理）。
【００９９】
また、複合機１００側において、分割データと共に特定データを共有領域に記録させることにより（図９におけるｓ６３０の処理）、ＰＣ２００側では、この特定データに基づいて各分割データを単一のデータファイルとして合成した画像データを生成（復元）することができる（図５におけるｓ３７０の処理）。この特定データは、分割データをどのように合成すると復元できるかを示す手順を特定できるデータであるため、あらかじめ画像データを分割するための規則を決めておかなくても、ＰＣ２００側において各分割データから画像データを生成することができる。
【０１００】
［変形例］
以上、本発明の実施形態について説明したが、本発明は上記の具体的な実施形態に限定されず、このほかにも様々な形態で実施することができる。
例えば、上記実施形態においては、複合機１００およびＰＣ２００からなるシステムに本発明における通信システムとしての構成を適用したものを例示した。しかし、本発明における通信システムとしては、複合機１００およびＰＣ２００以外の装置により構成してもよく、１または３以上の装置により通信システムを構成してもよい。
【０１０１】
また、上記実施形態においては、各フローチャートで示される処理が、複合機１００の備えるＣＰＵ１３２，ＰＣ２００の備えるＣＰＵ２１２からなるコンピュータシステムにより実行されるように構成されたものを例示した。しかし、これらの処理の一部または全部が、複合機１００，ＰＣ２００に有線・無線の信号伝送路で接続された別のコンピュータシステムにより実行されるように構成してもよい。
【０１０２】
また、上記実施形態の複合機１００においては、各フローチャートで示される処理がＲＯＭ１３４に記録されたプログラムに従って実行されるように構成されたものを例示した。しかし、メモリカード５００に上述のプログラムを記録させておき、このメモリカード５００をメディアドライブ１８０に装着した状態で、メモリカード５００に記録されたプログラムに従って各フローチャートで示される処理を実行されるように構成してもよい。
【０１０３】
また、上記実施形態のＰＣ２００においては、各フローチャートで示される処理がＨＤ２２０に記録されたプログラムに従って実行されるように構成されたものを例示した。しかし、ＰＣ２００がＦＤやメモリカードなどの記録媒体との間でデータを入出力可能に構成されている場合には、上述のプログラムが記録されている記録媒体に基づいて、各フローチャートで示される処理が実行されるように構成してもよい。
【０１０４】
また、上記実施形態において、電話回線網４００は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）であってもよいし、ＩＰ電話網であってもよい。
また、上記実施形態においては、複合機１００が、電話回線網４００を介して画像信号を送受信（ファクシミリ通信）するように構成されたものを例示した。しかし、この複合機１００がインターネットを介してデータ通信可能に構成されている場合には、インターネットを介してファクシミリ通信を行うように構成してもよい。
【０１０５】
また、上記実施形態においては、複合機１００のＲＡＭ１４０における共有領域を利用して、複合機１００およびＰＣ２００間での各種データのやりとりが行われるように構成されたものを例示した。しかし、これらデータのやりとりは、メディアドライブ１８０に装着されたメモリカード５００により行われるように構成してもよい。この場合、上記実施形態における「ＲＡＭ１４０における共有領域」との記載を、「メディアドライブ１８０に装着されたメモリカード５００」と読み替えるものとする。
【０１０６】
また、上記実施形態においては、複合機１００が、ファクシミリ通信による画像データおよび特定データをＲＡＭ１４０の共有領域に記録するように構成されたものを例示した。しかし、複合機１００が、例えば、インターネットを介してデータ通信可能であれば、インターネットを介したデータ通信による通信データおよび特定データを共有領域に記録するように構成することも可能である。この場合、インターネットを介したデータ通信の履歴をＰＣ２００側で保存・管理することができる。
【０１０７】
また、上記実施形態においては、図３，図６，図８，図９の各処理がファクシミリ通信により画像データを受信する処理である場合を例示した。しかし、これらの処理は、ファクシミリ通信により画像データを送信する処理に適用することもできる。この場合、実施形態における「受信」との記載を「送信」と読み替え、図３，図６，図８，図９の各処理を、ファクシミリ通信により画像データを送信する旨の内容に読み替えるものとする。具体的な部分としては、例えば、各処理の開始条件をＦＡＸ送信操作が行われた場合とし、共有領域に記録するデータのファイル名を受信時と区別した名称（例えば、「ｒｘ２０・・・」を受信時，「ｔｘ・・・」を送信時とする）にすることとする。
【０１０８】
また、上記実施形態においては、ＰＣ２００側で記録された単一ページ毎の画像データ、または、分割データから、これらのデータと共に複合機１００側に記録される特定データに基づいて画像データを生成するように構成されたものを例示した。しかし、画像データを単一ページ毎の画像データとする際、または、画像データを複数の分割データとする際の各画像データのファイル名や分割手順などの分割規則をあらかじめ定めておき、ＰＣ２００側では、単一ページ毎の画像データまたは分割データをＨＤ２２０に記録させた後、あらかじめ定められた分割規則に基づいて画像データを生成するように構成してもよい。このように構成すれば、あらかじめ分割規則を決めておくだけで、ＰＣ２００側において各分割データから通信データを復元することができる。
【０１０９】
また、図５のデータ収集処理においては、ｓ３５０の処理で特定データをＨＤ２２０に記録し、この特定データをｓ３６０の処理で複合機１００側から削除した後、ｓ３７０の処理でＨＤ２２０に記録された特定データに基づき画像データを生成するように構成されたものを例示した。しかし、ｓ３７０の処理における画像データの生成は、複合機１００側に記録されている特定データに基づき行うように構成してもよい。この場合、図１０に示すように、ｓ３４０の処理で複合機１００側に特定データが記録された際に、この特定データに基づいて画像データを生成した後（ｓ３７０）、複合機１００側から特定データを削除する（ｓ３６０）ように構成してもよい。
【０１１０】
［本発明との対応関係］
以上説明した実施形態において、複合機１００は本発明における通信装置であり、この複合機１００の備えるＲＡＭ１４０の共有領域は本発明における通信側記録手段である。
【０１１１】
また、ＰＣ２００は本発明における端末装置であり、このＰＣ２００の備えるＨＤ２２０は端末側記録手段である。
また、図３におけるｓ１３０，ｓ１８０の処理、図６におけるｓ１３０，ｓ１８０の処理、図８におけるｓ１３０，ｓ１８０の処理、図９におけるｓ５２０の処理が、本発明における通信手段である。
【０１１２】
また、図３におけるｓ１５０，ｓ１９０，ｓ２２０の処理、図６におけるｓ１５０，ｓ１９０，ｓ２２０の処理、図８におけるｓ１５０，ｓ１９０，ｓ２２０の処理、図９におけるｓ５５０，ｓ５９０，ｓ６３０の処理が、本発明における通信側記録指令手段である。
【０１１３】
また、図９におけるｓ５８０の処理が本発明におけるデータ分割手段である。また、図７におけるｓ４３０の処理が本発明におけるモード切替手段である。また、図５におけるｓ３２０，ｓ３５０の処理、図１０におけるｓ３２０の処理が、本発明における端末側記録指令手段である。
【０１１４】
また、図５におけるｓ３３０，ｓ３６０の処理が本発明における端末側削除指令手段である。
また、図５におけるｓ３７０の処理、図１０におけるｓ３７０の処理が、本発明におけるデータ合成手段である。
【０１１５】
また、図３においては共有領域の空き容量が充分であること、図６においては画像データがモノクロであること、および、通常の解像度であること、図８においては複合機１００の動作モードが通常モードであることが、本発明における記録条件である。
【図面の簡単な説明】
【図１】本実施形態における通信システムの構成を示すブロック図
【図２】本実施形態における複合機の外観を示す上面図
【図３】第１実施形態におけるＦＡＸ受信処理の処理手順を示すフローチャート
【図４】特定データのデータ構造を示す図
【図５】第１実施形態におけるデータ収集処理の処理手順を示すフローチャート
【図６】第２実施形態におけるＦＡＸ受信処理の処理手順を示すフローチャート
【図７】第３実施形態におけるモード切替処理の処理手順を示すフローチャート
【図８】第３実施形態におけるＦＡＸ受信処理の処理手順を示すフローチャート
【図９】第４実施形態におけるＦＡＸ受信処理の処理手順を示すフローチャート
【図１０】別の実施形態におけるデータ収集処理の処理手順を示すフローチャート
【符号の説明】
１，２，３，４・・・通信システム、１００・・・複合機、１１２・・・ハンドセット、１１４・・・表示パネル、１１６・・・読取位置、１１８・・・給紙位置、１２０・・・操作パネル、１２１・・・入力ボタン、１２２・・・スピーカーホンボタン、１２３・・・スタートボタン、１２４・・・機能確定ボタン、１２５・・・方向ボタン、１２５ａ・・・上ボタン、１２５ｂ・・・下ボタン、１２５ｃ・・・右ボタン、１２５ｄ・・・左ボタン、１２８・・・穴、１３２・・・ＣＰＵ、１３４・・・ＲＯＭ、１４０・・・ＲＡＭ、１５２・・・スキャナ部、１５４・・・モデム、１５６・・・プリンタ部、１６０・・・音声入出力部、１６２・・・スピーカ、１６４・・・マイク、１６６・・・駆動回路、１７２・・・ＰＣインターフェース部、１７４・・・回線制御部、１８０・・・メディアドライブ、１９０・・・バス、２００・・・パーソナルコンピュータ、２１２・・・ＣＰＵ、２１４・・・ＲＯＭ、２１６・・・ＲＡＭ、２２０・・・ハードディスク、２３２・・・外部インターフェース部、２４０・・・入力部、２４２・・・キーボード、２４４・・・マウス、２５０・・・ディスプレイ、２６０・・・バス、３００・・・通信ケーブル。
【図１】
2004304323.tif 000003
【図２】
2004304323.tif 000004
【図３】
2004304323.tif 000005
【図４】
2004304323.tif 000006
【図５】
2004304323.tif 000007
【図６】
2004304323.tif 000008
【図７】
2004304323.tif 000009
【図８】
2004304323.tif 000010
【図９】
2004304323.tif 000011
【図１０】
2004304323.tif 000012